(57)【特許請求の範囲】
【請求項１】
容器本体の上部に取り付けた回動環を回転することにより、付勢部材によってポンプ室を加圧する方向に付勢されているプランジャを、付勢部材に抗してポンプ室を減圧する方向へ移動せしめて、ポンプ室の吸込み側に設けた吸込弁を開弁し容器本体内の内容液をポンプ室にポンプアップし、回動環の上部に設けた操作部材を押し下げることにより、ポンプ室の吐出側に設けた吐出弁を開弁し、付勢部材の付勢力でプランジャを加圧する方向へ移動せしめてポンプ室の内容液を噴射孔から噴射する液体噴射容器において、
前記回動環の上部に、外周部に指掛け始動用およびストッパとして機能する突片を設けた２つの噴射管を上下回動可能に設け、一方の噴射管の先端には、上流部分に旋回流形成用の溝を備え、内容液を霧状に噴射する噴射孔を設け、他方の噴射管の先端には、内容液をほぼ真っ直ぐな水流として噴射する噴射孔を設け、これら噴射管の先端を、容器本体に対して相対回転可能な回動環の回転軸から離間する方向へ回転することにより当該噴射管の噴射孔と前記ポンプ室とを接続し、噴射管の先端を回動環の回転軸に接近する方向へ回転することにより噴射孔とポンプ室とを遮断するように構成したことを特徴とする液体噴出容器。
【請求項２】
前記噴射管の先端を下方に回転することにより噴射孔とポンプ室とが遮断され、且つ、下方回転の終端で噴射管が回動環内に収納されることを特徴とする請求項１記載の液体噴出容器。
【発明の詳細な説明】
【０００１】
【産業上の利用分野】
本発明は、回動環を回転することによって内容液をポンプアップし、その後で操作部材を押し下げることによって内容液を噴射するタイプのポンプ機構内蔵の液体噴出容器に関するものである。
【０００２】
【従来の技術】
噴霧装置付き容器等の液体噴出容器には、実開平３−５６５８４号公報等に開示されているように、容器本体の口頚部にプランジャポンプ機構が装備されていて、容器本体に取り付けられた回動環を所定の角度回転することによりプランジャをスプリングのばね力に抗して上昇させ、これにより容器本体内の内容液をポンプ室にポンプアップし、この後、容器の噴霧ヘッドを若干押し下げることにより吐出弁を開弁し、スプリングのばね力によりプランジャを下降せしめて、ポンプ室にポンプアップした内容液を噴霧ヘッドの噴射孔から霧状に噴射するタイプのものがある。
【０００３】
【発明が解決しようとする課題】
従来の液体噴出容器では、例えば前記従来例の場合、噴霧ヘッドから霧状にしか噴射できなかった。しかしながら、実際に使用する場合には、噴射場所や使用者の好みによっては、霧状でなく勢い良く真っ直ぐな水流にして噴射したい場合もある。従来の液体噴出装置ではこのような場合に対応できなかった。
【０００４】
本発明はこのような従来の技術の問題点に鑑みてなされたものであり、噴射形態を変えて噴射することができる液体噴出容器を提供することを目的とする。
【０００５】
【課題を解決するための手段】
本発明は前記課題を解決するために、以下の手段を採用した。
本発明は、容器本体の上部に取り付けた回動環を回転することにより、付勢部材によってポンプ室を加圧する方向に付勢されているプランジャを、付勢部材に抗してポンプ室を減圧する方向へ移動せしめて、ポンプ室の吸込み側に設けた吸込弁を開弁し容器本体内の内容液をポンプ室にポンプアップし、回動環の上部に設けた操作部材を押し下げることにより、ポンプ室の吐出側に設けた吐出弁を開弁し、付勢部材の付勢力でプランジャを加圧する方向へ移動せしめてポンプ室の内容液を噴射孔から噴射する液体噴射容器において、
前記回動環の上部に、外周部に指掛け始動用およびストッパとして機能する突片を設けた２つの噴射管を上下回動可能に設け、一方の噴射管の先端には、上流部分に旋回流形成用の溝を備え、内容液を霧状に噴射する噴射孔を設け、他方の噴射管の先端には、内容液をほぼ真っ直ぐな水流として噴射する噴射孔を設け、これら噴射管の先端を、容器本体に対して相対回転可能な回動環の回転軸から離間する方向へ回転することにより当該噴射管の噴射孔と前記ポンプ室とを接続し、噴射管の先端を回動環の回転軸に接近する方向へ回転することにより噴射孔とポンプ室とを遮断するように構成したことを特徴とする液体噴出容器である。
【０００６】
噴射形態を異にするということは、例えば、一方の噴射管の噴射孔からは内容液を霧状に噴射することができるようにし、他方の噴射管の噴射孔からは内容液をほぼ真っ直ぐな水流にして噴射することができるようにする、というように噴射孔からの内容液の噴射の形を変えることである。
【０００７】
噴射管の先端を回動環の回転軸から離間する方向へ回転するという意味は、容器本体を起立させて用い、その際の回動環の回転軸が垂直方向を向いている場合であれば、噴射管を垂直姿勢から水平姿勢に回転させるということであり、噴射管の先端を回動環の回転軸に接近する方向へ回転するという意味は、噴射管を水平姿勢から垂直姿勢に回転させるということである。
【０００８】
この場合に、前記噴射管の先端を下方に回転することにより噴射孔とポンプ室とが遮断され、且つ、下方回転の終端で噴射管が回動環内に収納されるようにしてもよい。このようにすると、容器の全高を短くできるとともに、非使用状態の噴射管が邪魔にならず、容器を全体的にコンパクトにできる。
【０００９】
【発明の実施の形態】
以下、本発明の一実施の形態を図１から図６の図面に基いて説明する。
図１は本発明の液体噴出容器（以下、容器という）の一部破断正面図であり、図２は同平面図である。
【００１０】
容器１は内容液を収容する容器本体１０を備え、容器本体１０の口筒部１１にシリンダ２０が固定されている。
シリンダ２０は、その下側筒部２１を容器本体１０の口筒部１１から容器本体１０内に挿入させて、下端開口２２を容器本体１０の底部近傍に位置せしめ、上側筒部２３を容器本体１０の口筒部１１よりも上方に突出させ、螺筒部２４を口筒部１１の外側に螺合することによって容器本体１０に固定されている。
【００１１】
シリンダ２０の下側筒部２１の下部内側には吸込弁２９が取り付けられている。この吸込弁２９の開弁により容器本体１０内の内容液がシリンダ２０内へ吸引可能となり、閉弁によりシリンダ２０内の内容液が容器本体１０内へ逆流するのを阻止する。
【００１２】
シリンダ２０の下側筒部２１の略中間部には等圧孔２５が設けられており、この等圧孔２５より若干上方に位置する下側筒部２１の内側には筒状の等圧弁２６が取り付けられている。等圧孔２５及び等圧弁２６の機能については後述する。
【００１３】
シリンダ２０の上側筒部２３の内周面には周方向等間隔に断面半円形の縦溝２７が複数設けられている。
シリンダ２０の上側筒部２３の外側には内側から順に第１回動環３０と第２回動環４０がシリンダ２０に対して上下動不能で且つ回動可能に取り付けられている。
【００１４】
第１回動環３０はシリンダ２０を覆うように設けられており、その天板部には空気孔３１が開いている。第１回動環３０の中央に設けられた貫通孔には吐出管３２が貫通固定されており、吐出管３２の下部はシリンダ２０の下側筒部２１内に挿入されている。
【００１５】
第２回動環４０は第１回動環３０を覆うように設けられており、第１回動環３０の係合部３３と第２回動環４０の係合部４１が互いに相対回転不能に係合して、これにより第１回動環３０と第２回動環４０が一体となって回転するようになっている。第２回動環４０は上方に行くにしたがって階段状に縮径している。
【００１６】
シリンダ２０と吐出管３２との間には筒状のプランジャ５０が上下動可能に設けられている。プランジャ５０は第１回動環３０との間に設けられたスプリング（付勢部材）５９によって下方に付勢されている。
【００１７】
プランジャ５０の係合部５３は第１回動環３０の係合部３４に上下動可能で且つ回転不能に係合しており、これによって第１回動環３０とプランジャ５０は一体となって回転し、後述のボール５２の作用によりプランジャ５０はシリンダ２０内を上下動する。
【００１８】
プランジャ５０の上部外周面には図６の展開図に示すように傾斜溝５１ａと垂直溝５１ｂとが交互に連続してなる断面半円形のカム溝５１が設けられている。このカム溝５１とシリンダ２０の縦溝２７にはボール５２が回動可能に係合している。即ち、ボール５２の半分はカム溝５１に挿入され、残る半分が縦溝２７に挿入されている。この構成により、シリンダ２０とプランジャ５０とを相対回転すると、ボール５２が傾斜溝５１ａを矢印Ｙ方向に相対移動する時にボール５２はプランジャ５０を押し上げ、ボール５２が垂直溝５１ｂ内に位置した時にプランジャ５０がスプリング５９によって押し下げられる。
【００１９】
プランジャ５０は、その下部外周面をシリンダ１０の内周面にシール状態に接触させるとともに等圧弁２６にシール状態に接触させ、プランジャ５０の内周面に固定した環状のシール材５４を吐出管３２の外周面にシール状態に接触させながら、シリンダ２０内を上下動する。
【００２０】
吐出管３２の上部開口には吐出弁６０が設けられている。吐出弁６０は、弁入口筒６１と、弁入口筒６１の上部内側に上下動可能に設けられた有底筒状の弁出口筒６２と、外端を弁入口筒６１に固定し内端を弁出口筒６２の外面環状溝に遊挿した環状の弁体６３と、弁出口筒６２を上方に付勢するスプリング６４と、から構成されており、弁出口筒６２の外面環状溝には弁出口筒６２の内部に通じる流通孔が設けられている。弁出口筒６２の上部は第２回動環４０の先端筒部４２の内側に位置している。
【００２１】
この吐出弁６０においては、弁出口筒６２の上下動により弁体６３が前記流通孔を開閉し、弁入口筒６１から弁出口筒６２への内容液の流通を許容あるいは遮断する。即ち、弁出口筒６２がスプリング６４のばね力で上方に位置している時には、弁体６３が流通孔を閉じて閉弁状態となっており、吐出管３２内の内容液が弁入口筒６１から弁出口筒６２へ流通するのを阻止する。一方、弁出口筒６１をスプリング６４に抗して押し下げた時には、弁体６３が流通孔を開放して開弁状態となり、吐出管３２内の内容液が弁入口筒６１と弁出口筒６２との間の隙間を通り、更に前記流通孔を通って弁出口筒６２内へ流れる。
【００２２】
この実施例においては、シリンダ２０と吸込弁２９とプランジャ５０と吐出管３２と吐出弁６０によって囲まれた空間がポンプ室１００である。
第２回動環４０の上部には、容器本体１０の一部と第１回動環３０と第２回動環４０の外周部を覆う第３回動環７０が設けられている。第３回動環７０の係合部７１と第２回動環４０の係合部４３は互いに相対回転不能に係合しており、これにより第３回動環７０と第２回動環４０が一体となって回転するようになっている。一方、第３回動環７０は容器本体１０に対しては相対回転可能に取り付けられている。したがって、第３回動環１０み対して回転することにより、プランジャ５０をシリンダ２０に対して回転せしめることができることになる。
【００２３】
第３回動環７０の上部は多重円筒状に形成されており、一番内側の筒部７２は内部が流通路７２ａになっていて、下側が小径で上側が大径に形成されている。筒部７２の下部は第２回動環４０の先端筒部４２内に挿入されており、その下端開口から流通路７２ａの小径部内に弁出口筒６２の上部がシール状態で上下動可能に挿入されている。
【００２４】
筒部７２の上端は開口していて、筒部７２の上部には操作部材９０が取り付けられている。操作部材９０のシール筒部９１は筒部７２の内側にシール状態で上下動可能に挿入されており、且つ、筒部７２から離脱不能に取り付けられている。
【００２５】
操作部材９０はシール筒部９１の内側に軸部９２を有しており、軸部９２の外周面には周方向に互いに離間して配された羽根９３が上下方向に延びている。軸部９２の下端は吐出弁６０の弁出口筒６２内に挿入されていて、羽根９３の下端は弁出口筒６２の上端面に突き当たっており、操作部材９０と弁出口筒６２は連動するようになっている。
【００２６】
したがって、操作部材９０を押し下げると弁出口筒６２が下がって吐出弁６０が開弁し、操作部材９０から手を離すと弁出口弁６２がスプリング６４によって上昇せしめられ吐出弁６０は閉弁する。
【００２７】
尚、軸部９２の下端を弁出口筒６２内に挿入した状態においても、弁出口筒６２内から流通路７２ａ内への内容液の流通は可能になっている。
第３回動環７０の上部において一番外側の筒部７３には、互いに周方向１８０度離れた位置に２つの凹部７４が上下方向に細長く設けられている。又、第３回動環７０には流通路７２ａと交差する横流通路７５ａ，７５ｂが形成されていて、各横流通路７５ａ，７５ｂの先端はそれぞれ凹部７４で開口している。
【００２８】
各凹部７４には噴射管８０Ａ，８０Ｂが取り付けられている。噴射管８０Ａ，８０Ｂの各基端部は略半球状をなし、第３回動環７０に上下方向へ回動可能に取り付けられていて、噴射管８０Ａ，８０Ｂの半球状の基端部が前記横流通路７５ａ，７５ｂの先端開口をシール状態に塞ぎながら回転するようになっている。
【００２９】
噴射管８０Ａ，８０Ｂの基端部には噴射管８０Ａ，８０Ｂの軸線方向に延びる流路８１が設けられており、この流路８１は噴射管８０Ａ，８０Ｂの先端に設けられた噴射孔８２に連なっている。
【００３０】
噴射管８０Ａと噴射管８０Ｂは先端部分の内部構造を異にしており、これによって内容液の噴射形態が異なるようにしている。即ち、噴射管８０Ａの場合には図３及び図４に示すように噴射孔８２の上流部分に旋回流形成用の溝８３を備えており、この溝８３を通過して旋回流となった内容液は噴射孔８２を通過すると霧状になり拡散して噴射される。一方、噴射管８０Ｂには旋回流を形成するための溝がなく、内容液は噴射孔８２を通ってほぼ真っ直ぐに水流となって勢いよく噴射される。
【００３１】
噴射管８０Ａ，８０Ｂの外周部にはそれぞれ突片８４が設けられている。この突片８４は、凹部７４内に収納されている噴射管８０Ａ，８０Ｂを回転して外方に突出させる時に（即ち、図１において噴射管８０Ｂの状態から噴射管８０Ａの状態にする時に）、指を掛けて回転始動するためのものであるとともに、回転終端においてストッパとして機能する。
【００３２】
噴射管８０Ａ，８０Ｂの半球状の基端部は、第３回動環７０の横流通路７５ａ，７５ｂと噴射管８０Ａ，８０Ｂの各流路８１とを接続あるいは遮断する開閉弁の機能を有している。即ち、噴射管８０Ａ（８０Ｂ）を凹部７４内に収納し起立姿勢にした時には横流通路７５ａ（７５ｂ）と流路８１は遮断され、噴射管８０Ａ（８０Ｂ）を回転して凹部７４から引き出し水平姿勢にした時には横流通路７５ａ（７５ｂ）と流路８１は接続される。
【００３３】
次に、この容器１の作用を説明する。図１はプランジャ５０が最下限位置にありポンプ室１００が非加圧状態にある時を示しており、通常、容器１はこの状態にある。この時、ボール５２はプランジャ５０のカム溝５１における傾斜溝５１ａの最上位に位置し、シリンダ２０の縦溝２７の最下位に位置している。又、吸込弁２９及び吐出弁６０はどちらも閉弁している。
【００３４】
この状態から第３回動環７０を容器本体１０に対して回転し、プランジャ５０を図６においてＸ方向に回転させると、ボール５２と傾斜溝５１ａのカム作用によりプランジャ５０がシリンダ２０内を上昇し、ポンプ室１００が負圧化して吸込弁２９が開弁し、容器本体１０内の内容液がポンプ室１００内に流入する。
【００３５】
内容液が容器本体１０からポンプ室１００へ流入するに伴い容器本体１０内が負圧化するが、プランジャ５０が最上位近傍に位置した時に等圧弁２６とプランジャ５０の外周面との間に隙間が生じて等圧弁２６が開弁状態となり、第１回動環３０の空気孔３１から流入した外気が前記隙間を通りシリンダ２０の等圧孔２５から容器本体１０内に流入し、容器本体１０内は外気と等圧になる。
【００３６】
ボール５２が傾斜溝５１ａの下限、即ち縦溝５１ｂの下限に至った時にプランジャ５０は最上位に位置し、縦溝５１ｂ内に進入したボール５２は縦溝５１ｂ内を上昇可能となる。しかしながら、この時、吐出弁６０は閉弁しており、プランジャ５０にはスプリング５９によって押し下げる力が作用するので、ポンプ室１００は加圧状態となり吸込弁２９を閉弁し、吐出弁６０が開弁されない限りプランジャ５０は下降することはなく、ポンプ室１００内の加圧状態が保持される。する。
【００３７】
ここで操作部材９０を押し下げると、吐出弁６０が開弁し、プランジャ５０がスプリング５９によって押し下げられ、その結果、ポンプ室１００内の内容液が吐出弁６０を通って第３回動環７０の流通路７２ａ内に流入し、横流通路７５ａまたは７５ｂを介して噴射管８０Ａあるいは８０Ｂに流入し、噴射孔８２から噴射される。
【００３８】
ところで、この容器１では噴射管８０Ａと噴射管８０Ｂで内容液の噴射形態が異なるので、使用者は使用の状況等によって使い分けることができる。即ち、内容液を霧状に拡散して噴射したい場合には、噴射管８０Ａを回転して水平姿勢にし第３回動環７０から突出させ、噴射管８０Ｂは第３回動環７０の凹部７４内に収納して起立姿勢にする。これにより、第３回動環７０の流通路７２ａは噴射管８０Ａの流路８１だけに連通し、噴射管８０Ｂの流路８１から遮断される。
【００３９】
一方、内容液を一本の水流にして勢いよく真っ直ぐに噴射したい場合には、噴射管８０Ｂを回転して水平姿勢にし第３回動環７０から突出させ、噴射管８０Ａは第３回動環７０の凹部７４内に収納して起立姿勢にする。これにより、第３回動環７０の流通路７２ａは噴射管８０Ｂの流路８１だけに連通し、噴射管８０Ｂの流路８１から遮断される。
【００４０】
又、噴射管８０Ａ，８０Ｂの両方を凹部７４内に収納して起立姿勢にすると、両噴射管８０Ａ，８０Ｂの流路８１はいずれも流通路７２ａから遮断されるので、操作部材９０を押し下げても内容液は噴射されない。これにより、誤噴射を防止することができる。
【００４１】
【発明の効果】
以上説明したように、本発明によれば、回動環の上部に２つの噴射管を上下回動可能に設け、各噴射管の先端にはそれぞれ噴射形態を異にする噴射孔を設け、噴射管を回転することによって噴射管の噴射孔とポンプ室とを連通遮断切替え可能としたことにより、必要に応じ噴射形態を選択して内容液を噴射することができ、極めて使い勝手がよいという優れた効果が奏される。
【００４２】
又、噴射管の先端を下方に回転することにより噴射孔とポンプ室とが遮断され、且つ、下方回転の終端で噴射管が回動環内に収納されるようにすると、容器をコンパクトにすることができる。
【図面の簡単な説明】
【図１】本発明に係る液体噴出容器の一部破断正面図である。
【図２】本発明に係る液体噴出容器の平面図である。
【図３】本発明に係る液体噴出容器の一方の噴射管の要部拡大断面図である。
【図４】本発明に係る液体噴出容器の一方の噴射管を噴射孔の正面から見た要部拡大断面図である。
【図５】本発明に係る液体噴出容器の他方の噴射管の要部拡大断面図である。
【図６】本発明に係る液体噴出容器のプランジャに設けたカム溝の展開図の一部である。
【符号の説明】
１  液体噴出容器
１０  容器本体
２９  吸込弁
５０  プランジャ
５９  スプリング（付勢部材）
６０  吐出弁
８０Ａ，８０Ｂ  噴射管
８２  噴射孔
９０  操作部材
１００  ポンプ室
【図１】
0003581530.tif 000002
【図２】
0003581530.tif 000003
【図３】
0003581530.tif 000004
【図４】
0003581530.tif 000005
【図５】
0003581530.tif 000006
【図６】
0003581530.tif 000007